(57)【特許請求の範囲】
【請求項１】
巻き取り式投影スクリーン装置（１０、１００）であって、少なくとも１つの投影スクリーン（１２）および少なくとも１つの巻き取り位置で前記投影スクリーン（１２）の上に重ねられた少なくとも１つの装飾（１３）を備えるとともに、前記投影スクリーンおよび／または前記装飾にそれぞれ繋がる移動手段であって、少なくとも１つの使用位置で前記投影スクリーン（１２）が見えるように、前記投影スクリーン（１２）または前記装飾（１３）のうち少なくとも一方をもう一方に対して移動させる移動手段（２０、３０、４０）を備え、前記少なくとも１つの投影スクリーン（１２）が支持布（１４）に保持され、前記移動手段（２０、３０、４０）が少なくとも２つの平行な巻き取りローラ（２１、２２；３３、３４；４３、４４）を備え、該巻き取りローラの周りに前記支持布（１４）が巻かれ、前記巻き取りローラの少なくとも一方がモータ付きの駆動ローラであり、前記スクリーン装置（１０、１００）が壁（１）に掛けられるように、または保持構造体により保持されるように、および前記移動手段（２０、３０、４０）と前記支持布（１４）を収容するように構成されたケース（１１、１１１）を備える、スクリーン装置において、前記スクリーン装置（１０、１００）は、前記支持布（１４）の２つの自由縁（１４ａ）に繋がる補強手段（５０）をさらに備えて、少なくとも前記支持布（１４）の巻き取り方向に硬直させて、前記支持布（１４）の面全体に対する完全な平面性を前記支持布（１４）に与えること、および、前記スクリーン装置（１０、１００）は、前記ケース（１１、１１１）に取り付けられ、および前記補強手段（５０）を介して前記支持布（１４）の前記自由縁（１４ａ）を誘導するように構成された誘導手段（６０、７０、８０）も備えることを特徴とする、スクリーン装置（１０、１００）。
【請求項２】
前記補強手段（５０）は、前記支持布（１４）の前記自由縁（１４ａ）に取り付けられた少なくとも１つのベルト（５１）を備え、前記ベルト（５１）は、長手軸Ｘに沿った長さおよび横断軸Ｙに沿った幅にわたって剛性であり、前記支持布（１４）と共に前記ベルト自体を巻き込めるように前記ベルトの厚みにわたって柔軟であることを特徴とする、請求項１に記載のスクリーン装置。
【請求項３】
前記ベルト（５１）は、前記支持布（１４）の前記自由縁（１４ａ）に部分的に固定されるため、前記ベルトは、内側の自由縁（５１ａ）および外側の自由縁（５１ｂ）を有することを特徴とする、請求項２に記載のスクリーン装置。
【請求項４】
前記支持布（１４）の前記自由縁（１４ａ）は、前記ベルト（５１）の前記外側の自由縁（５１ｂ）と一致することを特徴とする、請求項３に記載のスクリーン装置。
【請求項５】
前記誘導手段（６０、７０、８０）は、前記ベルト（５１）の少なくとも前記内側の自由縁（５１ａ）をスライドさせて受け入れるように構成された長手溝（６１、７１、８４）を備え、該長手溝（６１、７１、８４）は、少なくとも１つの支持体（６２、７２、８１）に保持されることを特徴とする、請求項３に記載のスクリーン装置。
【請求項６】
前記長手溝（６１、７１、８４）は、前記支持体（６２、７２、８１）に配置されたガイド（６３、７６、８３）に設けられ、前記支持布（１４）の少なくとも見えている部分を誘導することを特徴とする、請求項５に記載のスクリーン装置。
【請求項７】
前記ガイド（８３）は、前記支持体（８１）上に可動式に取り付けられて、前記支持布（１４）を外側の方へ張るように戻り手段（８６）によって引っ張られることを特徴とする、請求項６に記載のスクリーン装置。
【請求項８】
前記長手溝（６１、７１）は、前記支持体（６２、７２）に配置されたガイド（６３、７６）に設けられ、前記支持布（１４）の見えている部分も隠れている部分も含めて前記支持布（１４）全体を誘導することを特徴とする、請求項５に記載のスクリーン装置。
【請求項９】
前記支持体（７２）の両側に配置されている前記ガイド（７６）は、前記支持布（１４）の見えている部分と前記支持布（１４）の隠れている部分との張りのバランスを保つように構成された弾性バンド（７５）によって２つずつ連結されて、前記支持布（１４）を自動的に中央に設定することを特徴とする、請求項８に記載のスクリーン装置。
【請求項１０】
前記移動手段（２０）は、２つの巻き取りローラ（２１、２２）を備え、そのうちの少なくとも一方は、モータ付きの駆動ローラ（２１）であること、および前記支持布（１４）は、前記巻き取りローラ（２１、２２）の周りに閉ループを形成することを特徴とする、請求項１に記載のスクリーン装置。
【請求項１１】
前記移動手段（３０、４０）は、少なくとも２つの巻き取りローラ（３１、３２；４１、４２）および２つの駆動ローラ（３３、３４；４３、４４）を備えていること、および前記支持布（１４）は、開ループを形成し、該開ループの各端部は、前記駆動ローラ（３３、３４）の周りに巻かれることを特徴とする、請求項１に記載のスクリーン装置。
【請求項１２】
前記支持布（１４）は、サイズが様々で、および／または反射性が様々で、および／または複数種類の装飾（１３）が１つずつ順に入れ替わる複数の投影スクリーン（１２）を備えていることを特徴とする、請求項１１に記載のスクリーン装置。
【請求項１３】
前記ケース（１１１）は、入れ子式であり、少なくとも１つの背後パネル（１１４）、ならびに少なくとも前記巻き取りローラ（３１、３２）および前記駆動ローラ（３３、３４）を保持する少なくとも２つの端部パネル（１１２、１１３）を備え、該端部パネル（１１２、１１３）は、前記背後パネル（１１４）に対してスライド式に取り付けられて、互いに離れることができるとともに、前記巻き取りローラ（３１、３２）の軸間距離も前記支持布（１４）の見えている部分の寸法も増大させることができることを特徴とする、請求項１に記載のスクリーン装置。
【請求項１４】
前記ケース（１１１）は、少なくとも２つの中間パネル（１１５、１１６）で構成される少なくとも１つの補足的段部を備え、前記中間パネルは、前記背後パネル（１１４）と前記端部パネル（１１２、１１３）との間に配置され、互いに対してスライド式に取り付けられることを特徴とする、請求項１３に記載のスクリーン装置。
【請求項１５】
少なくとも前記端部パネル（１１２、１１３）は、該端部パネルを広げようとする戻り手段（１１７、１２０）によって開位置に引っ張られ、前記駆動ローラ（３３、３４）に接続しているモータ（３７、３８）によって閉位置に保持されることを特徴とする、請求項１３に記載のスクリーン装置。
【請求項１６】
前記誘導手段（８０）の前記支持体（８１）は、滑り溝（１１８、１１９）に取り付けられて、前記支持布（１４）の前記自由縁（１４ａ）を前記入れ子式ケース（１１１）が開閉移動する間に追従させることを特徴とする、請求項１３に記載のスクリーン装置。
【請求項１７】
前記ケース（１１、１１１）は、スピーカー（１５）を備えていること、および前記支持布（１４）は、少なくとも前記スピーカー（１５）の正面に微細な孔が開けられることを特徴とする、請求項１に記載のスクリーン装置。
【発明の詳細な説明】
【技術分野】
【０００１】
本発明は、伸縮式投影スクリーン装置であって、少なくとも１つの投影スクリーンおよび前記スクリーンが引っ込んだ少なくとも１つの位置で前記投影スクリーンの上に重ねられた少なくとも１つの装飾を備えるとともに、前記投影スクリーンおよび／または前記装飾にそれぞれつながっている移動手段であって、前記スクリーンを使用する少なくとも１つの位置で前記投影スクリーンが見えるように前記投影スクリーンまたは前記装飾のうち少なくとも一方をもう一方に対して移動させる移動手段を備える、投影スクリーン装置において、前記少なくとも１つの投影スクリーンが支持布に保持され、前記移動手段が少なくとも２つの平行な巻き込みローラを備え、該巻き込みローラの周りに前記支持布が巻かれ、前記ローラの少なくとも一方がモータ付きの駆動ローラである、スクリーン装置に関する。
【背景技術】
【０００２】
ホームシアター装置は、ビデオプロジェクタを通して映画、テレビ番組、インターネットコンテンツ、アルバム写真などを、利用可能なスペースに応じてある程度の寸法の投影スクリーン上に可視化できるものである。この投影スクリーンは一般に、壁に固定されて広い場所を占領し、このスクリーンの代わりに他のあらゆる装飾を置くことができなくなっている。投影スクリーンを使用していないときは、黒い枠で囲まれていることもあれば囲まれていないこともある白い面が正面にでき、これは美しくなく、応接間のような居間では目に心地よいものでもない。そのため、使用者のなかには、映画の投影のみに特化した部屋にシアター室を整備する人もいる。しかしながら、このような制約により、ホームシアターが発展する可能性が制限され、とりわけシアターに特化させる特別な部屋を所有していない潜在的使用者を思いとどまらせてしまう。
【０００３】
国際特許公報第２００４／０２７５１５号明細書に記載されているような巻きほどけるスクリーンが知られており、このスクリーンは、壁に掛けられたケース内に収容されていることもあれば収容されていないこともあり、要求に応じて巻きほどいて投影するものである。この対策は、スクリーンが横に張っておらず画像が変形するために画質の面で満足のいくものではないと同時に、居間での実用性および美点の面でも満足のいくものではない。
【０００４】
投影スクリーンを芸術作品、絵画またはその他のあらゆる壁の装飾の背後に隠して、投影スクリーンを応接間のような居間にごく控えめに配置できるようにするとともに、その居間を随意にシアター室に変られるようにするためのその他の対策が存在する。一例が、仏国特許公報第２８７９７６６号明細書に記載されている。同文献では、連結アームを有する装置を入れた容器を背後に設置した絵画であって、この装置が３枚続きの絵画のように３つの部分が開いて、前記装置に保持されている投影スクリーンを広げて張る絵画が提供され、この絵画は、３枚続きの絵画の扉になっている。この対策は満足のいくものではない。なぜなら、布が引っ込み位置でしわになり、メカニズムが複雑で、絵画の背後で場所を取り、これによってほとんどの場合は前記容器を壁に埋め込まざるを得ず、それによって余分な仕事および費用が必要になるからである。さらに、この対策では、スクリーンのサイズおよびスクリーンの種類が限定され、投影形式に応じた様々な形式のスクリーンを検討することも、様々な反射性のスクリーンを検討することもできない。
【０００５】
中国特許公報第２８３７１０２Ｙ号明細書には、さらに使いやすい対策が提供され、この対策では絵画が、２つの平行なローラの間に巻かれ、位置に応じて装飾画像、投影スクリーンあるいはライティングボードになる少なくとも１つの布を備えている。しかし、この布では高品質な画像を投影できない。なぜなら、布の自由縁が浮いていて保持されておらず、投影画像の変形が生じるおそれがあるからである。
【０００６】
米国特許公報第２００７／０２８５３３７Ａ１号明細書には、折り畳み式または巻き込み式のスクリーンが提供され、このスクリーンの自由縁は、自己支持式のバンドで硬くなっていて、このバンドは必然的に湾曲し、スクリーンの前記自由縁に沿って取り付けられた溝内に収容され、正常な使用位置でスクリーンを自己支持できるとともに、スクリーンの平面性を維持できる。しかし、この対策を実施することは困難で費用がかかり、信頼性のあるものではない。実際、溝を付け加えることで、新たな製造費が発生するとともにスクリーンの自由縁の厚みが増し、寸法の面でも害になるほか、スクリーン自体を巻いた際のスクリーンの一体性という面でも害になるおそれがある。このほか、この対策では、ローラに対して布が横にずれないようにするものが何も用意されていないため、２つのローラ間を循環する支持布に変えることはできない。
【先行技術文献】
【特許文献】
【０００７】
【特許文献１】国際特許公報第２００４／０２７５１５号明細書
【特許文献２】仏国特許公報第２８７９７６６号明細書
【特許文献３】中国特許公報第２８３７１０２Ｙ号明細書
【特許文献４】米国特許公報第２００７／０２８５３３７Ａ１号明細書
【発明の概要】
【発明が解決しようとする課題】
【０００８】
本発明は、奥行きの面で場所を取らない装置であって、投影スクリーンを芸術作品、絵画などの後ろに隠すことができ、折りたたむことなしに投影スクリーンを垂直方向と水平方向との２方向にしわがない状態で張って、様々な位置で維持することができると同時に投影スクリーンの移動中にも維持することができ、複数サイズのスクリーンおよび／または複数の入れ替え可能な壁の装飾および／またはスクリーンの複数の反射性を設ける可能性も示す、機械的に簡易で信頼性が高く経済的である本装置を提供して、上記に喚起した問題に対する対策をもたらすことを狙いとするものである。
【課題を解決するための手段】
【０００９】
そのために、本発明は、冒頭で述べた類のスクリーン装置であって、前記支持布の２つの自由縁につながっている補強手段をさらに備えて、少なくとも前記支持布の巻き込み方向に硬直させて、支持布の面全体に対する完全な平面性を前記支持布に与えること、および前記補強手段につながっている前記支持布の自由縁を誘導するように構成された誘導手段も備えることを特徴とする、スクリーン装置に関する。
【００１０】
好適な実施形態では、前記補強手段は、前記支持布の自由縁に取り付けられた例えば金属製の少なくとも１つのベルトを備え、前記ベルトは、長手軸Ｘに沿った長さおよび横断軸Ｙに沿った幅にわたって剛性であり、前記支持布と共にベルト自体を巻き込めるようにベルトの厚みにわたって柔軟である。このベルトは、支持布の自由縁に部分的に固定されるため、前記ベルトは内側の自由縁および外側の自由縁を有する。前記支持布の自由縁は、前記ベルトの外側の自由縁と一致してよい。
【００１１】
好適な実施形態では、誘導手段は、ベルトの少なくとも内側の自由縁をスライドさせて受け入れるように構成された長手溝を備え、これらの長手溝は、少なくとも１つの支持体に保持される。
【００１２】
前記長手溝は、前記支持体に配置されたガイドに設けられ、支持布の少なくとも見えている部分を誘導するか、支持布の見えている部分も隠れている部分も誘導することができる。
【００１３】
ガイドが前記支持体の両側に配置されている場合、ガイドは、支持布の見えている部分と支持布の隠れている部分との張りを均衡に保つように構成された弾性バンドによって２つずつ連結されて、前記支持布を自動的に中央に設定することができる。
【００１４】
ガイドは、支持体上に可動式に取り付けられて、前記支持布を張るように戻り手段によって引っ張られてもよい。
【００１５】
前記移動手段は、２つの巻き込みローラを備えていてよく、そのうちの少なくとも一方は、モータ付きの駆動ローラであり、前記支持布は、前記巻き込みローラの周りに閉ループを形成できる。
【００１６】
移動手段はまた、少なくとも２つの巻き込みローラおよび２つの駆動ローラを備えていてもよく、前記支持布は、この場合開ループを形成でき、開ループの各端部は、駆動ローラの周りに巻かれる。
【００１７】
この実施変形例では、前記支持布は、サイズが様々で、かつ／または反射性が様々で、かつ／または複数種類の装飾が１つずつ順に入れ替わる複数の投影スクリーンを備えていてよい。
【００１８】
好適な実施形態では、スクリーン装置は、内壁に掛けられるか保持構造体に保持されるよう構成されるとともに、前記移動手段および前記支持布を有するように構成されたケースを備える。このケースは、特殊なものであってもよいし、前記内壁に設けられたニッチで構成されてもよい。
【００１９】
実施変形例では、前記ケースは、入れ子式であってよく、少なくとも１つの背後パネル、ならびに少なくとも前記巻き込みローラおよび前記駆動ローラを保持する２つの端部パネルを備えていてよく、前記端部パネルは、前記背後パネルに対してスライド式に取り付けられて、互いに離れることができるとともに、前記巻き込みローラの軸間距離も前記支持布の見えている部分の寸法も増大させることができる。
【００２０】
所望の寸法に応じて、前記ケースは、少なくとも２つの中間パネルで構成される少なくとも１つの補足的段部を備えていてよく、中間パネルは、前記背後パネルと前記端部パネルとの間に配置され、互いに対してスライド式に取り付けられる。
【００２１】
この場合、少なくとも前記端部パネルは、端部パネルを広げようとする戻り手段によって開位置に引っ張られ、前記駆動ローラに接続しているモータによって閉位置に保持される。
【００２２】
前記誘導手段の支持体は、滑り溝に取り付けられて、前記支持布の自由縁を前記入れ子式ケースが開閉する移動に追従させることができる。
【００２３】
前記伸縮式スクリーン装置のケースは、入れ子式であってもなくても、有利には前記支持布の背後にスピーカーを備えていてよく、支持布には少なくともスピーカーの正面に微細な孔を開けて、音を拡散させやすくすることができる。
【００２４】
本発明および本発明の利点は、付属の図面を参照して非限定的な例として挙げた複数の実施形態に沿った説明文からさらに明らかになるであろう。
【図面の簡単な説明】
【００２５】
【図１】本発明の第１の変形例による投影スクリーン装置の正面図であり、ケースが固定され、投影スクリーンが見えていて、装置内部を見せるために仕上げ枠が撤去されている図である。
【図２】図１の装置を縮小した正面図であり、壁の装飾が見えていて、仕上げ枠が取り付けられている図である。
【図３】図１および図２の装置の投影スクリーンおよび壁の装飾を保持している布の移動手段を示す上面概略図である。
【図４】図３に似た図であり、図３の移動手段の実施変形例の図である。
【図５】図３に似た図であり、複数の投影スクリーンを巻きほどける移動手段のもう１つの実施変形例の図である。
【図６】投影スクリーンおよび壁の装飾を保持している布の駆動ローラ、スクリーンの補強手段ならびにスクリーンの誘導手段を示す部分斜視図である。
【図７】図６の補強手段および誘導手段の先端を示す部分図である。
【図８】図６の誘導手段の実施変形例の斜視図である。
【図９Ａ】ケースが入れ子式である本発明の第２の変形例による投影スクリーン装置の正面図である。
【図９Ｂ】ケースが入れ子式である本発明の第２の変形例による投影スクリーン装置の正面図であり、２つのスクリーン形式のうちの閉位置を表す図である。
【図９Ｃ】ケースが入れ子式である本発明の第２の変形例による投影スクリーン装置の正面図であり、２つのスクリーン形式のうちの開位置を表す図である。
【図１０Ａ】図９Ａから図９Ｃの装置の移動手段の第１の実施形態が閉位置にある上面概略図である。
【図１０Ｂ】図９Ａから図９Ｃの装置の移動手段の第１の実施形態が開位置にある上面概略図である。
【図１１Ａ】図９Ａから図９Ｃの装置の移動手段の第２の実施形態の背面図であり、閉位置にある平面図である。
【図１１Ｂ】図９Ａから図９Ｃの装置の移動手段の第２の実施形態の背面図であり、開位置にある部分斜視図である。
【図１２】図１１Ａおよび図１１Ｂの装置のスクリーンの誘導手段の斜視図である。
【発明を実施するための形態】
【００２６】
図１から図８を参照すると、本発明による伸縮式投影スクリーン装置１０は、内壁１や支持構造物などに掛かかるように構成された少なくとも１つのケース１１を備えている。図示した例では、このケース１１は長方形であり、内壁１は壁または仕切りである。当然ながら、このケース１１は、内壁１に重ねて置かれてもよいし、前記内壁１にそのために設けられたニッチに組み込まれてもよい。ケースは、ニッチ自体で構成されてもよい。このケース１１は、床またはその他のあらゆる面に載る脚などで、固定状態またはキャスター付きで保持されてもよい。本文全体において、「ケース１１」という用語は、このような様々な可能性を含んでいる。ケースは、内部機構を隠すためにケース１１の周囲に配置される仕上げ枠１６を備えている。この仕上げ枠１６は、市販のフレームや、作りたい美観に応じて前記装置に対して特別に設計されたフレームで構成されてよい。この仕上げ枠１６は、個別のものでも一体化したものでもよく、芸術品の一部であってもよい。
【００２７】
本発明によるスクリーン装置１０は、少なくとも１つの投影スクリーン１２および少なくとも１つの装飾１３を備え、両者は重なり合い、同じ１つの支持布１４の延長上で互いに一体になっている。支持布１４は、ビデオプロジェクタで投影された画像をうまく反射させられる柔らかいコーティング生地で構成されることが好ましい。投影スクリーン１２は、支持布１４自体がそのままで構成されてもよいし、支持布１４に白色または明るい色を印刷して構成されてもよいし、接着や縫製などで支持布１４に取り付けた他の布で構成されてもよい。投影スクリーンは、ある程度黒くある程度の大きさに印刷された縁１２ａや他の装飾などで境界を定められてもよいし、そうでなくてもよい。装飾１３は、支持布１４に印刷されてもよいし、この布に直接絵を描いて独自の芸術品を作成してもよいし、接着や縫製などで支持布１４に取り付けた他の布にそのようにしてもよい。装飾は、芸術作品の複製であってもよいし、独自の絵画であってもよいし、その他のあらゆる種類の装飾であってもよい。
【００２８】
ケース１１内の支持布１４の背後にスピーカー１５を組み入れてよい。この場合、支持布１４には、投影スクリーン１２の横にある前記スピーカー１５の正面に微細な孔を開けて音を通すようにすることができる。これらのスピーカー１５は、平坦、あるいは極めて平坦で、奥行きに占めるスペースを小さくすることが好ましい。当然ながら、本発明による装置１０は、使用者に提供された選択肢に応じて、照明システムや当業者に自明のその他の機材など、その他の付属品を以て完成することができる。
【００２９】
スクリーン装置１０は、使用者の面前に、使用者の選択に応じて装飾１３（図２を参照）か投影スクリーン１２（図１を参照）のいずれかを提供するように、支持布１４をケース１１に対して動かす移動手段２０を備えている。これらの移動手段２０は、ケース１１の両側に配置された少なくとも２つの平行な巻き込みローラ２１、２２を備え、この両ローラの周りに支持布１４が巻かれる。図示した例では、巻き込みローラ２１、２２は、垂直で、ケース１１の右側および左側に設けられ、支持布１４が水平に移動する。当然ながら、これらのロールをケースの上側および下側に水平に設けることもでき、この場合支持布は垂直に移動する。少なくとも一方の巻き込みローラ２１は、例えば管状モータ２３を用いるモータ駆動ローラであり、管状モータは、ローラの内径に埋め込まれるという利点を有するが、その他のあらゆるモータまたは作動装置を当てはめてもよい。図示した例では、もう一方の巻き込みローラ２２は、自由回転式に取り付けられ、戻し部材２４に引っ張られ、支持布１４を移動する水平方向の軸に張るとともに、２つのローラ２１、２２の間の軸間距離Ｅを一定に維持することができ、このようにして動作上の遊びを調整することができる。この戻し部材２４は、圧縮螺旋バネであり、ケース１１と一体化した収納部２５内に配置されて、前記ケース１１内で回転式に動く前記ローラ２２の軸に戻り力をかけ、細長い収納部内で水平軸にわずかな遊びができる。これ以外のあらゆる戻し手段を検討してもよい。図示していない実施形態では、この戻し部材２４を、第２の巻き込みローラ２２を駆動するもう１つのモータと、２つの巻き込みローラ２１および２２のモータの回転速度を電気制御する装置とに置き換えることができる。
【００３０】
図３を参照すると、支持布１４は、２つの巻き込みローラ２１、２２の周りに閉ループを形成し、選択したモータの種類によって矢印Ｆ１で示した同じ方向に循環するか、２つの方向に循環する。支持布１４上に設けられた投影スクリーン１２および装飾１３は、重なって対面するように置かれ、装飾１３がケース１１の前面に面しているときに投影スクリーン１２がケース１１の内部で装飾１３の背後に隠れ、この逆も同様になるようになっている。モータ２３に推進力が送られるたびに、支持布１４は、ケース１１の前面で装飾１３を投影スクリーン１２に置き換えるか、この逆を行うことのできる距離を移動する。モータ２３は、有利には、無線のリモコン装置、またはその他のあらゆる適切な通信手段で遠隔から制御される。
【００３１】
図４は、ケース１１（この図には示していない）の右側および左側に設けられた２つの平行な巻き込みローラ３１、３２、２つのモータ駆動ローラ３３、３４、ならびにケース１１の内部に設けられた２つの曲折ローラ３５、３６を備え、これらのローラがすべて平行である移動手段３０の実施変形例を示している。巻き込みローラ３１、３２の少なくとも一方は、前例と同じように、選択したモータの種類および前記モータの制御の種類によって、戻し部材２４に引っ張られてもよいし、そうでなくてもよい。この変形例では、支持布１４は、閉ループを形成しなくなっているが開ループを形成し、この開ループの各々の端部は、曲折ローラ３５、３６を通った後に駆動ローラ３３、３４の一方の周りに巻かれ、曲折ローラは、駆動ローラ３３、３４に巻かれる布がどのような厚みであっても支持布を正しく設定する。この曲折ローラ３５、３６は、任意の選択項目であってよい。したがって、支持布１４の長さは、ケース１１の長さの２倍より長くして、形式が様々でかつ／または反射性が様々な投影スクリーン１２を複数提供し、かつ／または順次差し替える装飾１３を複数種類提供して、入れ替え可能な投影スクリーンおよび／または装飾の選択肢を増やすことができる。例えば管状で、駆動ローラ３３、３４に接続したモータ３７、３８は、ケース１１の前面にある表示装置に応じて、一方のローラ３３の支持布１４を巻きほどくのと、もう一方のローラ３４に巻き込むのとを同時にでき、この逆も同様にできるように同期を取る。モータ３７、３８は、布１４を両矢印Ｆ２に沿って左から右および右から左へ移動させるように、２つの回転方向に回ることができなければならない。
【００３２】
図５では、図４とは若干異なる技術対策を提供しており、この図では、移動手段４０はモータ４７を１つしか備えていない。ケース１１（この図には示していない）の右側および左側に設けられた２つの平行な巻き込みローラ４１、４２、２つの駆動ローラ４３、４４、およびケース１１の内部に設けられた２つの曲折ローラ４５、４６があるのがわかる。一方の駆動ローラ４３のみがモータで作動し、歯付きベルト、チェーン、歯車装置などを有する動力伝達装置４８を介してもう一方の駆動ローラ４４を駆動し、２つのローラ４３、４４どうしの同期を確実にしている。
【００３３】
本発明によるスクリーン装置１０は、支持布１４の２つの自由縁１４ａにつながっている補強手段５０をさらに備え、この両縁を前記布の巻き込み方向で硬直させて、ケース１１の前面に曝露している少なくとも面全体に対する完全な平面性を支持布１４に与える。図６から図８をさらに詳細に参照すると、これらの補強手段５０は、ベルト５１であって、好ましくは金属、ばね鋼製で、やや湾曲しているか平坦で、支持布１４の自由縁１４ａに取り付けられるベルトを備えている。ベルト５１は、同等の機械特性を示すその他のあらゆる材料、例えばアルミニウム、アルミニウム合金、ステンレス鋼、その他のあらゆる鋼鉄または合金、あるいはその他の合成材料または適切な複合材料で作製されてよい。このベルト５１は、金属製の巻尺に例えられるもので、長手軸Ｘに沿った長さ、および横断軸Ｙに沿った幅にわたって剛性であるとともに、厚みにわたって柔軟であるという利点を有し、ベルトが湾曲していても平坦にすることができ、小さなスペースでもベルト自体を巻き込むことができ、その結果、ベルトは、図３の巻き込みローラ２１、２２の周りだけでなく、図４および図５を参照して説明した他のローラの周りでも支持布１４と一緒に容易に巻き込まれ、取り消せない折れ目を支持布１４に生じさせるおそれのある余分な厚みを生むことがない。このベルト５１は、長さに対して幅が狭く厚みがわずかである。ベルトの長さは、支持布１４の長さと同じでなければならない。ベルトは、とりわけコールドグルー、例えばＰａｔｅｘ（登録商標）タイプの柔軟な接着剤を用いた接着により、またはその他のあらゆる同等の最終的固定手段であって、支持布１４の材料およびベルト５１の材料と併用可能な最終的固定手段によって、支持布１４の自由縁１４ａに取り付けられる。ベルト５１は、支持布１４に部分的に、つまりベルトの幅の一部のみに組み合わせられてベルトの２つの長手縁を自由なままにしておき、長手縁は、支持布１４の自由縁１４ａの両側に位置する内側の自由縁５１ａおよび外側の自由縁５１ｂを規定する。当然ながら、布の自由縁１４ａは、ベルトの外側の自由縁５１ｂと一致していてよい。このベルト５１は、長さ方向にも幅方向にも伸張したり変形したりできないという利点を有し、これによって支持布１４の自由縁１４ａの機械的耐性を完全にするとともに、支持布１４を誘導して張り、このようにして、支持布１４自体の質および支持布が提供する投影の質に害を及ぼし、ローラ２１、２２の軸間距離Ｅに沿った長い距離にわたって同じく害を及ぼす支持布１４のあらゆる誤った折れ目、波、および変形を回避する。さらに、このベルト５１は、疲労も摩耗もなくそれ自体を巻くことができ、確実で持続性のある対策を提供する。軸間距離Ｅに沿って、支持布１４の２つの自由縁１４ａに設けられたベルト５１は、支持布１４を恒久的に均一に張るのに十分なものである。
【００３４】
本発明によるスクリーン装置１０は、さらに、支持布１４が巻き込みローラに対してできるあらゆる横断方向のずれを防ぐために、補強手段５０を介して支持布１４の自由縁１４ａを誘導する手段６０を備えている。一例を図８を参照して示しており、この例では、ベルト５１の内縁５１ａをスライドさせて受け入れるように構成された長手溝６１を備えている。これらの長手溝６１は、固定用ビス（図示せず）などのあらゆる公知の手段によってケース１１内に固定された支持用形材６２で保持されている。この例では、支持用形材６２は、長方形の中空の形材であり、溝６１は、形材６２の両側に固定されたＣ字型のガイド６３内に設けられて、支持布１４をケース１１の前面にもケース１１の内部にも誘導できるようにする。ガイド６３の上の環状部は、ベルト５１の上縁５１ｂを保持するように構成されている。したがって、ベルト５１は、支持布１４が移動する間中スライドして完全に誘導され、布１４が線形に移動し、かつ正確に設置されるようにする。好ましくは、ガイド６３は、テフロン（登録商標）のように摩擦係数の低い材料で作製されるか、同材料で覆われてよい。これらのガイド６３は、２つの巻き込みローラ２１、２２の間で長手方向に広がって、支持布１４の内側および上側の自由縁１４ａを誘導する。このガイドは、途切れのないものでも途切れているものでもよい。
【００３５】
図６および図７は、支持布１４の自由縁１４ａを誘導できるだけでなく、この支持布１４の中心を自動的に設定することもでき、支持布が移動する過程で起こるあらゆるずれを回避する誘導手段７０の実施変形例を示している。この誘導手段は、ベルト５１の内縁５１ａをスライドさせて受け入れるように構成された長手溝７１を備えている。これらの長手溝７１は、クランプ７３ａを通して、固定用ビス７３などのあらゆる公知の手段によってケース１１内に固定された支持用形材７２で保持されている。この例では、支持用形材７２は、筒状の空中形材であり、溝７１を備えるガイド７６を両端に保持しているＣ字型の弾性バンド７５を受け入れるように構成された外部空間７４の境界を定めている。これらのガイド７６は、形材７２の両側に配置されて、支持布１４をケース１１の前面にもケース１１の内部にも誘導する。前部および後部のガイド７６が１つの弾性バンド７５を介して２つずつ連結していることにより、ケース１１の前面に位置している支持布１４の部分と、ケース１１の内側に位置している支持布１４の部分との間の張りを均衡に保つことができ、このようにして支持布１４の中心を自動的に設定することを可能にする。誘導手段７０は、ベルト５１の外縁５１ｂを保持するためにケース１１内に収容された半筒状の外側ガイド７７で以て完全になる。前述したように、ガイド７６および７７は、テフロン（登録商標）のように摩擦係数の低い材料で作製されるか、同材料で覆われてよい。このガイドは、２つの巻き込みローラ２１、２２の間で長手方向に広がって、支持布１４の内側および上側の自由縁１４ａを誘導する。このガイドは、途切れのないものでも途切れているものでもよい。
【００３６】
誘導手段６０および７０は、例えば誘導手段６０を支持布１４の一方の自由縁１４ａに沿って取り付け、他方の誘導手段７０をもう一方の自由縁に沿って取り付けて、組み合わせることができる。同じく、図１２を参照して説明したもののように、これ以外の誘導手段８０を、支持布１４を恒久的に張る手段に組み入れてもよい。当然ながら、支持布１４の自由縁１４ａを摩擦なしで誘導できるキャスターやローラーなど、その他のあらゆる誘導手段を当てはめてもよい。
【００３７】
図９から図１２は、本発明による伸縮式スクリーン装置１００のもう１つの変形例を示し、この変形例では、ケース１１１は、前例のように固定されて動けなくなってはおらず、入れ子式になっている。この実施変形例により、スクリーン装置１００の使用法に応じてケース１１１の開き方を適応させることができる。図９Ａでは、ケース１１１は閉位置にあり、使用者の面前には芸術作品であってよい装飾１３が提供されている。図９Ｂでは、このケース１１１は、例えばサイズが１６：９のスクリーンに相当するものであってよい第１の開位置にあり、図９Ｃでは、このケース１１１は、例えばサイズが２．２５：１のスクリーンに相当するものであってよい第２の開位置にある。
【００３８】
この場合、ケース１１１は、特殊なものであり、スクリーン装置１００と一体化した一部である。このようにするために、ケース１１１は、図１０Ａおよび図１０Ｂを参照すると、例えば図４の駆動手段３０である巻き込みローラ３１、３２を保持している２つの端部パネル１１２、１１３、背後パネル１１４、および２セットの中間パネル１１５、１１６で形成される２つの中間段部を備えている。端部パネル１１２、１１３および中間パネル１１５、１１６は、好ましくは球または針を有する入れ子式のレールまたは滑り溝１１８（図１１Ｂに図示）に取り付けられて、一方がもう一方に対して引き出しのように移動することができる。中間パネル１１５、１１６は、滑り溝１１８があれば省略してよい。２つの端部パネル１１２、１１３は、同パネルを引き離そうとする戻り手段１１７、１２０によって開位置に引っ張られ、駆動ローラ３３、３４に結合しているモータ３７、３８によって閉位置に戻される。図１０Ａおよび図１０Ｂに示した例では、戻り手段１１７は、圧縮バネで表されている。図１１Ａおよび図１１Ｂに示した例では、戻り手段１２０は、菱形の関節連結式アーム１２１で表され、例えば圧縮バネなど、軸線で表された戻り手段１２２によって開くように張り、一種のパントグラフを形成する。これらの戻り手段１２０によって、閉位置でも安定した位置を実現することができる。当然ながら、バネジャッキ、ガスジャッキなど、その他のあらゆる同等の手段を当てはめてもよい。
【００３９】
図１０Ａは、使用者の面前に例えば装飾１３を支持布１４上に提供する収縮位置にあるスクリーン装置１００を示している。中間パネル１１５、１１６は、端部パネル１１２、１１３および背後パネル１１４に重なって、平行な２つのローラ３１、３２の間の第１の軸間距離Ｅ１を規定する。使用者がモータ３７を作動させて装飾１３を投影スクリーン１２に置き換えるよう制御すると、直ちに支持布１４は、該当する方の駆動ローラ３３から巻きほどかれ、戻り手段１１７を解放し、背後パネル１１４に中央を合わせるようにしてケース１１１を開く。使用者は、投影スクリーン１２に変わるのを見ると、装飾１３を巻き込むためにモータ３８を作動させるよう制御しつつ、モータ３７で投影スクリーン１２を巻きほどき続ける。装飾１３がケース１１１の前面から見えなくなると、直ちに使用者は該当する方のモータ３８を停止し、モータ３７を作動させて投影スクリーン１２が完全に現れるまで同スクリーンを開け続け、その後、該当する方のモータ３７を停止する。ケース１１１は、図１０Ｂに示した開位置または展開位置にあり、この位置では、平行なローラ３１、３２が第２の軸間距離Ｅ２を規定し、第２の軸間距離は、第１の軸間距離Ｅ１の少なくとも１．５倍に等しくてよい。この入れ子式のケース１１１によって、装飾１３よりもサイズが遙かに大きい投影スクリーン１２を展開でき、このようにして壁占有面積またはスクリーン装置１００の設置面積を縮小できる。この実施変形例により、支持布１４を最小軸間距離Ｅ１と最大軸間距離Ｅ２との間で長短のある長さに対して展開させることで、投影スクリーン１２を様々なサイズかつ／または様々な反射性で表示することもできる。当然ながら、この実施変形例では、支持布１４につなげられた補強手段５０、同じく、巻きほどいて誘導するシステムなどによってとりわけケース１１１の端部パネルおよびケース１１１の前面に設けられている支持布の誘導手段６０、７０を含む。モータ３７、３８の制御は、電子制御ユニットで完全に自動化されてよく、オペレータがリモコン装置上で選択できるスクリーンの種類に応じて決定されてよいことは自明である。同じく、使用する戻り手段１１７、１２０に応じて、ケース１１１を開くのは、単にモータ３７、３８のモータブレーキを徐々にゆるめることで実現できる。
【００４０】
図１１および図１２に示したものように、その他の誘導手段８０を設けて、前記スクリーン装置１００の上部および下部にあるレールまたは滑り溝１１８に載せ、支持布１４の移動と前記ケース１１１が開くのと閉まるのと同時に移動させることができ、このようにして支持布１４の両自由縁１４ａに均一に分散した誘導を行う。この誘導手段はそれぞれ支持プレート８１を備えていて、この支持プレートは、端部パネル１１２、１１３に固定されるか、滑り溝１１８上をスライドするか、追加の滑り溝１１９に固定されている。可動式の支持プレート８１は、小チェーン８２、細紐などを介して互いに連結し、軸間距離を調整することによって展開できる。誘導手段８０はさらに、溝８４を規定しているＣ字型のガイド８３を備え、支持布１４を誘導する。ガイド８３の上ループ８５は、ベルト５１の上縁５１ｂを保持するように構成されている。このガイド８３は、戻り手段８６によってケース１１１の外側の方へ引っ張られ、支持布１４を布の内側から外側へ恒久的に張る。このようにするために、このガイド８３は、ネジ締めなどによって支持プレート８１に固定された２つの形材８７の間に取り付けられ、ロッド８８上をスライドして誘導される。図示した例では、戻り手段８６は、ロッド８８上を誘導される圧縮バネで構成されている。したがってベルト５１は、一定に張られている支持布１４が移動する間にスライドして完全に誘導される。前例と同じく、ガイド８３は、テフロン（登録商標）のように摩擦係数の低い材料で作製されるか、同材料で覆われてよい。
【００４１】
図９から図１２に係る実施変形例により、１つまたは複数の投影スクリーン１２を、例えば装飾１３を形成する彫刻のような三次元の芸術作品に容易に組み入れることができる。この場合、スクリーン装置１００が床に載っていれば、閉位置にあって仕上げ枠１６につながっていることもあればつながっていないこともあるケース１１１も、脚（図示せず）も、前記芸術作品を構成することができる。よってケース１１１は、三次元の形態であってよく、平行６面体である必要はない。ケース１１１を開けると芸術作品が開き、これによって支持布１４が現れ、支持布はこの場合、１つまたは複数の投影スクリーン１２しか備えておらず、装飾１３は、前記スクリーン装置１００の外側部分で作製されている。
【産業上の利用可能性】
【００４２】
本発明により、設定した目的、つまり伸縮式投影スクリーン装置であって、多機能でモジュール式であり、支持布１４を変化させることで拡張し、構想が簡易で信頼性が高く、使いやすく、美しく人間工学的である装置を達成することができ、これによってこのホームシアター技術の利用者数を増大させることができ、本装置が家庭にも職場にも用途を見出せることが明白であることが、本明細書から明らかになる。とりわけ職場用の場合、当然ながら、仕様書および対象となる顧客に応じて支持布１４の内容を修正することができる。この内容には、例えば広告情報、技術情報、商業情報などが含まれていてよい。
【００４３】
本発明は、記載した実施例に限定されず、付属の請求項に規定した保護範囲内であるかぎり、当業者に自明のあらゆる修正例および変形例にも及ぶ。
【図１】
0006277473.tif 000002
【図２】
0006277473.tif 000003
【図３】
0006277473.tif 000004
【図４】
0006277473.tif 000005
【図５】
0006277473.tif 000006
【図６】
0006277473.tif 000007
【図７】
0006277473.tif 000008
【図８】
0006277473.tif 000009
【図９Ａ】
0006277473.tif 000010
【図９Ｂ】
0006277473.tif 000011
【図９Ｃ】
0006277473.tif 000012
【図１０Ａ】
0006277473.tif 000013
【図１０Ｂ】
0006277473.tif 000014
【図１１Ａ】
0006277473.tif 000015
【図１１Ｂ】
0006277473.tif 000016
【図１２】
0006277473.tif 000017